(57)【要約】【課題】床面部材の端部を保護するためのプレス成形を省きつつ、床面部材の端部を保護することができる洗い場の床面部材端面保護具を提供する。【解決手段】洗い場排水モール２０は、厚み方向に向けて立ち上がってタイル３の下流側端部４と隙間を空けて対面する対面部２４と、対面部２４の下端から下流側端部４と対面する側に伸びた載置部２５とが直角に連接されている。洗い場水上モール３０は、タイル３の上流側端部５と隙間を空けて対面する対峙面部３１が形成され、パネル１０が位置決めされるパネル位置決め突部３３の上方に、パネル１０との隙間を形成する窪み部３４が形成されている。洗い場排水モール２０の対面部２４とタイル３の下流側端部４との隙間、および、洗い場水上モール３０の対峙面部３１とタイル３の上流側端部５との隙間に、それぞれ目地材１２が充填される。窪み部３４にコーキング材１３が充填される。【選択図】図５
2019035228.tif 000002
【特許請求の範囲】
【請求項１】
洗い場の上流側または下流側に配置されて取り付けられ、前記洗い場に敷かれる床面部材の端部と対面する、
ことを特徴とする洗い場の床面部材端面保護具。
【請求項２】
前記床面部材が位置決めされる床面部材位置決め突部が形成され、
前記洗い場の下流側に連接された排水口の周囲に配置される、
ことを特徴とする請求項１に記載された洗い場の床面部材端面保護具。
【請求項３】
前記排水口と前記洗い場との境界に形成された縁部に載置される載置部と、
前記床面部材の下流側の端部と隙間を空けて対面する対面部と、
前記載置部と前記対面部とが連接された箇所に形成された前記床面部材位置決め突部と、から構成された、
ことを特徴とする請求項２に記載された洗い場の床面部材端面保護具。
【請求項４】
前記床面部材の目地と同系色である、
ことを特徴とする請求項１から請求項３のいずれか１項に記載された洗い場の床面部材端面保護具。
【請求項５】
前記洗い場の上流側に配置されて取り付けられ、
前記床面部材の上流側の端部と対面する側の反対側に、前記洗い場に取り付けられるパネルとの隙間を形成する窪み部が形成された、
ことを特徴とする請求項１に記載された洗い場の床面部材端面保護具。
【請求項６】
前記床面部材の上流側の端部と対面する側の反対側に、前記パネルが位置決めされるパネル位置決め突部が形成された、
ことを特徴とする請求項５に記載された洗い場の床面部材端面保護具。
【請求項７】
上方に向かうにしたがって前記床面部材の端部から離れた上方面部が形成された、
ことを特徴とする請求項１から請求項６のいずれか１項に記載された洗い場の床面部材端面保護具。
【発明の詳細な説明】
【技術分野】
【０００１】
本発明は、浴室の洗い場に敷かれる床面部材の端部を保護するための洗い場の床面部材端面保護具に関するものである。
【背景技術】
【０００２】
従来、浴室の洗い場は、下記特許文献１に記載されているとおり、タイルなどの床面部材の外縁部と壁パネルとの間にコーキング材が充填され、このコーキング材によって、湯水が壁パネルの裏面側に回り込むことが妨げられると共に、床面材の外縁部が保護されている。
【０００３】
また、他の洗い場では、床面材の外縁部と対面する位置を、製作時にプレス成形で予め突出させ、この突出した箇所で床面材の外縁部が保護されている。
【先行技術文献】
【特許文献】
【０００４】
【特許文献１】特開２０１３−２０９８５３号公報
【発明の概要】
【発明が解決しようとする課題】
【０００５】
しかし、上記したとおり、洗い場の一部をプレス成形で予め突出させると、プレス成形によって、不本意な歪みや反りが洗い場に発生する場合がある。特に、排水口の近傍では、排水口の形状に応じて複雑な形状に突出させる必要があるため、不本意な歪みや反りが顕著に発生する場合がある。
【０００６】
本発明は、この様な実情に鑑みて提案されたものである。すなわち、床面部材の端部を保護するためのプレス成形を極力省きつつ、床面部材の端部を保護することができる洗い場の床面部材端面保護具の提供を目的とする。
【課題を解決するための手段】
【０００７】
上記目的を達成するために、本発明に係る洗い場の床面部材端面保護具は、洗い場の上流側または下流側に配置されて取り付けられ、前記洗い場に敷かれる床面部材の端部と対面する、ことを特徴とする。
【０００８】
本発明に係る洗い場の床面部材端面保護具は、前記床面部材が位置決めされる床面部材位置決め突部が形成され、前記洗い場の下流側に連接された排水口の周囲に配置される、ことを特徴とする。
【０００９】
本発明に係る洗い場の床面部材端面保護具は、前記排水口と前記洗い場との境界に形成された縁部に載置される載置部と、前記床面部材の下流側の端部と隙間を空けて対面する対面部と、前記載置部と前記対面部とが連接された箇所に形成された前記床面部材位置決め突部と、から構成された、ことを特徴とする。
【００１０】
本発明に係る洗い場の床面部材端面保護具は、前記床面部材の目地と同系色である、ことを特徴とする。
【００１１】
本発明に係る洗い場の床面部材端面保護具は、前記洗い場の上流側に配置されて取り付けられ、前記床面部材の上流側の端部と対面する側の反対側に、前記洗い場に取り付けられるパネルとの隙間を形成する窪み部が形成された、ことを特徴とする。
【００１２】
本発明に係る洗い場の床面部材端面保護具は、前記床面部材の上流側の端部と対面する側の反対側に、前記パネルが位置決めされるパネル位置決め突部が形成された、ことを特徴とする。
【００１３】
本発明に係る洗い場の床面部材端面保護具は、上方に向かうにしたがって前記床面部材の端部から離れた上方面部が形成された、ことを特徴とする。
【発明の効果】
【００１４】
本発明に係る洗い場の床面部材端面保護具は、洗い場の上流側または下流側に配置されて取り付けられ、洗い場に敷かれる床面部材の端部と対面する構成である。すなわち、洗い場の床面部材端面保護具は、成形された洗い場に、あとから取り付けられるため、床面部材の端部を保護するためのプレス成形を省きつつ、床面部材の端部を保護することができる。
【００１５】
本発明に係る洗い場の床面部材端面保護具は、床面部材が位置決めされる床面部材位置決め突部が形成され、洗い場の下流側に連接された排水口の周囲に配置される構成である。すなわち、床面部材が、排水口の周囲において、床面部材位置決め突部によって位置決めされる。したがって、容易に床面部材を洗い場に敷くことができる。
【００１６】
本発明に係る洗い場の床面部材端面保護具は、排水口と前記洗い場との境界に形成された縁部に載置される載置部と、床面部材の下流側の端部と隙間を空けて対面する対面部と、載置部と対面部とが連接された箇所に形成された床面部材位置決め突部と、から構成されている。この構成により、洗い場の床面部材端面保護具が縁部に取り付けられた状態で、床面部材が床面部材位置決め突部によって位置決めされ、床面部材と対面部との隙間において床面部材位置決め突部の上から目地材が充填される。したがって、目地材によって床面部材位置決め突部を隠すことができる。
【００１７】
本発明に係る洗い場の床面部材端面保護具は、床面部材の目地と同系色である。したがって、洗い場の床面部材端面保護具を、目地の色に馴染ませて目立たなくすることができる。
【００１８】
本発明に係る洗い場の床面部材端面保護具は、洗い場の上流側に配置されて取り付けられ、床面部材の上流側の端部と対面する側の反対側に、洗い場に取り付けられるパネルとの隙間を形成する窪み部が形成されている。この構成により、窪み部に充填材が充填される。したがって、充填材を充填しやすくすることができる。
【００１９】
本発明に係る洗い場の床面部材端面保護具は、床面部材の上流側の端部と対面する側の反対側に、パネルが位置決めされるパネル位置決め突部が形成されている。すなわち、パネルが、床面部材の上流側の端部において、パネル位置決め突部によって位置決めされる。したがって、容易にパネルを洗い場に取り付けることができる。
【００２０】
本発明に係る洗い場の床面部材端面保護具は、上方に向かうにしたがって床面部材の端部から離れた上方面部が形成されている。この構成により、床面部材端面保護具と床面部材の端部との隙間が、上側に向けて広く形成されている。したがって、隙間に目地材を充填しやすくすることができる。
【図面の簡単な説明】
【００２１】
【図１】本発明の実施形態に係る洗い場の床面部材端面保護具が取り付けられた洗い場が示され、（ａ）は平面図、（ｂ）は（ａ）におけるＡ−Ａ断面図である。
【図２】本発明の第一実施形態に係る洗い場の床面部材端面保護具の外観が示され、（ａ）は斜視図、（ｂ）は（ａ）におけるＤ−Ｄ断面図、（ｃ）は（ａ）と別の角度から視した斜視図である。
【図３】本発明の第二実施形態に係る洗い場の床面部材端面保護具の外観が示され、（ａ）は斜視図、（ｂ）は（ａ）におけるＥ−Ｅ断面図である。
【図４】本発明の実施形態に係る洗い場の床面部材端面保護具が洗い場に取り付けられた状態の断面が示され、（ａ）は図１（ｂ）におけるＢ部分の拡大図、（ｂ）は図１（ｂ）におけるＣ部分の拡大図である。
【図５】本発明の実施形態に係る洗い場の床面部材端面保護具が洗い場に取り付けられて目地材が充填された状態の断面が示され、（ａ）は図１（ｂ）におけるＢ部分の拡大図、（ｂ）は図１（ｂ）におけるＣ部分の拡大図である。
【発明を実施するための形態】
【００２２】
以下に、本発明の実施形態に係る洗い場の床面部材端面保護具（以下、洗い場の床面部材端面保護具を、「床面部材端面保護具」と記す。）を図面に基づいて説明する。図１は、本発明の実施形態に係る床面部材端面保護具が取り付けられた洗い場１が示されている。図２は、第一実施形態に係る床面部材端面保護具としての下流側端面保護具（以下、下流側端面保護具を「洗い場排水モール」と記す。）の外観および断面が示され、図３は、第二実施形態に係る床面部材端面保護具としての上流側端面保護具（以下、上流側端面保護具を「洗い場水上モール」と記す。）の外観および断面が示されている。
【００２３】
図１に示されているとおり、床面部材端面保護具は、洗い場１において、床面部材としてのタイル３が敷かれる際の位置決めに用いられ、かつ、タイル３の端部を保護するものである。なお、床面部材は、タイル３の他、例えば、塩ビシート、繊維強化プラスチック（ＦＲＰ：Ｆｉｂｅｒ−Ｒｅｉｎｆｏｒｃｅｄ  Ｐｌａｓｔｉｃｓ）、人造大理石などであってもよい。
【００２４】
洗い場１は、下流側に排水溝６が連接され、この排水溝６の下流側に排水口部７が連接されている。排水溝６と洗い場１との境界は、境界隆起部２が形成されている。排水口部７は、洗い場１に対して厚み方向に凹んだ窪みであり、中央に、円形の孔である排水孔８が形成されている。排水口部７と洗い場１との境界は、洗い場１の平面上よりも僅かに低い位置に排水口縁部９が形成されている。この排水口縁部９は、排水孔８の周囲において、平面から視して、ほぼ“コ”字状である。
【００２５】
洗い場排水モール２０は、洗い場１の下流側に配置されて排水口縁部９に取り付けられ、洗い場１に敷かれたタイル３の下流側端部４と対面している。また、洗い場水上モール３０は、洗い場１の上流側に配置されて取り付けられ、タイル３の上流側端部５と対面している。洗い場排水モール２０および洗い場水上モール３０はそれぞれ、例えば、両面テープや接着剤などで洗い場１に接着されて固定される。
【００２６】
なお、以下の説明では、図１に示されているとおり、洗い場１の厚み方向を上方または下方とし、排水口部７を基準として排水溝６側を右方または左方とする。
【００２７】
図２に示されているとおり、洗い場排水モール２０は、平面から視して、排水口縁部９に倣った“コ”字状である。洗い場排水モール２０は、直線状の第一保護部２１と、この第一保護部２１の左右両端に、第一保護部２１と直角に連接された直線状の第二保護部２２および第三保護部２３とから形成されている。各部２１，２２，２３は、断面がほぼ“Ｌ”字状であり、厚み方向に向けて立ち上がってタイル３の下流側端部４と隙間を空けて対面する対面部２４と、この対面部２４の下端から、洗い場排水モール２０の外側であって、タイル３の下流側端部４と対面する側に伸びた載置部２５とが、直角に連接されている。対面部２４の上端は、上方に向かうにしたがってタイル３の下流側端部４から離れる方向に傾斜した上方面部２６が形成されている。なお、上方面部２６は、傾斜した平坦面であるが、他の実施形態として、僅かに窪んだ湾曲面であってもよい。また、上方面部２６は、上端に形成されているが、他の実施形態として、上端だけでなく対面部２４の全面が傾斜していてもよい。
【００２８】
洗い場排水モール２０は、対面部２４と載置部２５とが連接された箇所に、タイル３が位置決めされる床面部材位置決め突部２７が形成されている。詳説すれば、床面部材位置決め突部２７は、洗い場排水モール２０の外側であって、タイル３の下流側端部４と対面する側に向けて階段状に突出すると共に、厚み方向において対面部２４の上端よりも低く、かつ、載置部２５の外側端よりも内側に形成されている。なお、床面部材位置決め突部２７は各部２１，２２，２３に沿って直線状に連続しているが、他の実施形態として、短い複数の床面部材位置決め突部２７が各部２１，２２，２３に沿って断続して形成されていてもよい。
【００２９】
洗い場排水モール２０は、タイル３の目地と同系色であれば任意であり、例えば、ホワイト、ベージュ、グレーなどである。
【００３０】
図３に示されているとおり、洗い場水上モール３０は、タイル３の上流側端部５に倣った直線状である。洗い場水上モール３０は、タイル３の上流側端部５と隙間を空けて対面する対峙面部３１が形成され、この対峙面部３１の上端は、上方に向かうにしたがってタイル３の上流側端部５から離れる方向に傾斜した上方面部３２が形成されている。また、洗い場水上モール３０は、タイル３の上流側端部５と対面する側の反対側の下部側が張り出したことで、洗い場１に取り付けられるパネル１０が位置決めされるパネル位置決め突部３３が形成されると共に、このパネル位置決め突部３３の上方に、パネル１０との隙間を形成する窪み部３４が形成されている。また、洗い場水上モール３０は、平坦な底面部３５が形成されている。
【００３１】
なお、他の実施形態として、洗い場排水モール２０と同様に、上方面部３２は、僅かに窪んだ湾曲面であってもよく、対峙面部３１の全面が傾斜していてもよい。また、短い複数のパネル位置決め突部３３が断続して形成されていてもよい。
【００３２】
以上のとおり、洗い場排水モール２０および洗い洗い場水上モール３０が構成されている。次に、洗い場排水モール２０および洗い洗い場水上モール３０の使用方法を図面に基づいて説明する。図４および図５は、洗い場排水モール２０および洗い洗い場水上モール３０の取付状態が示されている。
【００３３】
図４において、はじめに、洗い場１において、洗い場排水モール２０が排水口縁部９に載置され、載置部２５が両面テープや接着剤で接着されて固定される。また、洗い場水上モール３０が、洗い場１の上流側の所定位置に載置され、底面部３５が両面テープや接着剤で接着されて固定される。次に、タイル３が洗い場１に敷きつめられる。その際、排水口部７近傍において、タイル３の下流側端部４が、洗い場排水モール２０の床面部材位置決め突部２７に当てられてタイル３が位置決めされ、また、タイル３の上流側端部５が、洗い場水上モール３０の対峙面部３１と隙間を空けて配置される。タイル３は、接着剤１１で洗い場１に接着されて固定される。
【００３４】
次に、図５に示されているとおり、目地材１２が充填される。詳説すれば、洗い場排水モール２０の対面部２４とタイル３の下流側端部４との隙間に目地材１２が充填され、また、境界隆起部２とタイル３との隙間にも目地材１２が充填される。同様に、洗い場水上モール３０の対峙面部３１とタイル３の上流側端部５との隙間に目地材１２が充填される。最後に、パネル１０が洗い場水上モール３０のパネル位置決め突部３３に当てられてパネル１０が位置決めされ、窪み部３４にシリコーンなどのコーキング材１３が充填される。洗い場水上モール３０は、目地材１２およびコーキング材１３に覆われ、外部から視認されなくなる。
【００３５】
以上のとおり、洗い場排水モール２０および洗い洗い場水上モール３０が用いられる。次に、本実施形態に係る洗い場排水モール２０および洗い洗い場水上モール３０の効果を説明する。
【００３６】
上記したとおり、洗い場排水モール２０は、洗い場１の排水口縁部９に載置され、載置部２５が両面テープや接着剤で接着されて固定され、また、洗い場水上モール３０は、洗い場１の上流側の所定位置に載置され、底面部３５が両面テープや接着剤で接着されて固定される（図４参照）。すなわち、洗い場排水モール２０および洗い洗い場水上モール３０は、成形された洗い場１に、あとから取り付けられるため、タイル３の上流側端部５および下流側端部４を保護するためのプレス成形を省きつつ、タイル３の上流側端部５および下流側端部４を保護することができる。
【００３７】
洗い場排水モール２０は、対面部２４と載置部２５とが連接された箇所に、床面部材位置決め突部２７が形成されている。すなわち、タイル３が、排水口部７の排水口縁部９において、床面部材位置決め突部２７によって位置決めされる（図４参照）。したがって、容易にタイル３を洗い場１に敷くことができる。
【００３８】
また、床面部材位置決め突部２７は、洗い場排水モール２０の外側であって、タイル３の下流側端部４と対面する側に向けて階段状に突出すると共に、厚み方向において対面部２４の上端よりも低く、かつ、載置部２５の外側端よりも内側に形成されている（図５参照）。この構成により、下流側端部４と対面部２４との隙間において床面部材位置決め突部２７の上から目地材１２が充填される。したがって、目地材１２によって床面部材位置決め突部２７を隠すことができる。
【００３９】
洗い場排水モール２０は、タイル３の目地と同系色である。したがって、洗い場排水モール２０を、目地の色に馴染ませて目立たなくすることができる。
【００４０】
洗い洗い場水上モール３０は、タイル３の上流側端部５と対面する側の反対側の下部側が張り出したことで、パネル１０が位置決めされるパネル位置決め突部３３が形成されている（図５参照）。すなわち、パネル１０が、タイル３の上流側端部５において、パネル位置決め突部３３によって位置決めされる。したがって、容易にパネル１０を洗い場１に取り付けることができる。
【００４１】
また、洗い洗い場水上モール３０は、パネル位置決め突部３３の上方に、パネル１０との隙間を形成する窪み部３４が形成されている（図５参照）。この構成により、窪み部３４にコーキング材１３が充填される。したがって、コーキング材１３を充填しやすくすることができる。
【００４２】
洗い場排水モール２０によれば、対面部２４の上端は、上方に向かうにしたがってタイル３の下流側端部４から離れる方向に傾斜した上方面部２６が形成されている（図４参照）。同様に、洗い洗い場水上モール３０によれば、対峙面部３１の上端は、上方に向かうにしたがってタイル３の上流側端部５から離れる方向に傾斜した上方面部３２が形成されている（図４参照）。すなわち、対面部２４および対峙面部３１は、それぞれ上方面部２６，３２によって、上方に向かうにしたがってタイル３の各端部４，５との隙間が広がっているため、目地材１２を充填しやすくすることができる。また、充填された目地材１２の表面を均す際、目地材１２が、各上方面部２６，３２に沿って隙間なく充填され、目地材１２の表面を平坦に仕上げることができる。
【００４３】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４４】
１                    洗い場
２                    境界隆起部
３                    タイル（床面部材）
４                    下流側端部
５                    上流側端部
６                    排水溝
７                    排水口部
８                    排水孔
９                    排水口縁部
１０                  パネル
１１                  接着剤
１２                  目地材
１３                  コーキング材
２０                  洗い場排水モール（洗い場の床面部材端面保護具）
２１                  第一保護部
２２                  第二保護部
２３                  第三保護部
２４                  対面部
２５                  載置部
２６                  上方面部
２７                  床面部材位置決め突部
３０                  洗い場水上モール（洗い場の床面部材端面保護具）
３１                  対峙面部
３２                  上方面部
３３                  パネル位置決め突部
３４                  窪み部
３５                  底面部
【図１】
2019035228.tif 000003
【図２】
2019035228.tif 000004
【図３】
2019035228.tif 000005
【図４】
2019035228.tif 000006
【図５】
2019035228.tif 000007